(57)【要約】【課題】  導電性繊維等の導電体を用いて情報伝達システムを構成する。【解決方法】  送信機と受信機と送受信機間の信号を伝達する導電体を有する信号伝達システムであって、送信機および受信機は導電体と電気的な導通は遮断され且つ電磁結合されており、送信機の出力部から放射される電磁波が導電体に伝わり、導電体から電磁波が放射され、放射された電磁波が受信機の入力部に入力されて信号が伝達される信号伝達システムを提供する。【選択図】  図１
2007124109.tif 000002
【特許請求の範囲】
【請求項１】
送信機と受信機と送受信機間の信号を伝達する導電体を有する信号伝達システムであって、送信機と導電体は電気的な導通は遮断され且つ電磁結合されており、受信機と導電体は電気的に接続しており、送信機の出力部から放射される電磁波が導電体に伝わり、導電体から受信機の入力部に入力されて信号が伝達される信号伝達システム。
【請求項２】
送信機と受信機と送受信機間の信号を伝達する導電体を有する信号伝達システムであって、送信機と導電体は電気的に接続され、受信機と導電体は電気的な導通は遮断され且つ電磁結合されており、送信機の出力が導電体に伝わり、導電体から電磁波が放射され、放射された電磁波が受信機の入力部に入力されて信号が伝達される信号伝達システム。
【請求項３】
送信機と受信機と送受信機間の信号を伝達する導電体を有する信号伝達システムであって、送信機および受信機は導電体と電気的な導通は遮断され且つ電磁結合されており、送信機の出力部から放射される電磁波が導電体に伝わり、導電体から電磁波が放射され、放射された電磁波が受信機の入力部に入力されて信号が伝達される信号伝達システム。
【請求項４】
前記導電体は導電性繊維または導電性フィルムである請求項１ないし３に記載のシステム。
【請求項５】
前記導電性繊維は導電性樹脂または炭素繊維または金属線を繊維に編み込んだものである請求項４に記載のシステム。
【請求項６】
請求項１ないし５に記載のシステムを用いた音響装置であって、再生機を送信機に接続し、スピーカと接続された増幅器を受信機に接続して音響出力を行う装置。
【請求項７】
請求項１ないし６に記載の装置を有する衣服、カーテン、ウインドウフィルム、カーペット。
【発明の詳細な説明】
【技術分野】
【０００１】
本発明は送信機または受信機が導電体と電磁結合することによって情報を伝達するシステムである。
【背景技術】
【０００２】
オーディオ機器等では信号の伝達を有線で行うのが一般的であり、放送等では無線で行われることが一般的である。またポータブル再生機では機器自体を持ち歩くので信号を伝達するためのケーブルとしてはイヤホン等のケーブルのみが存在する。また、例えばレストラン等で見られるいわゆるＢＧＭのような場合は、音響機器を接続しスピーカを設置する必要がある。
【特許文献１】特開２００５−０７９７３４
【特許文献２】特開２００３−３４７８４０
【発明の開示】
【発明が解決しようとする課題】
【０００３】
しかし、近年ではポータブル再生機としてはＣＤプレーヤだけでなくＭＤ、携帯電話、ＭＰ３プレーヤなど様々な再生機が用いられている。また携帯電話ではイヤホンとマイクで通話することできる機能なども有している。よってこれらの機器をいくつも持ち歩く場合はイヤホンのコードが増え、取り扱いが不便である。
また、ＢＧＭ等を流す場合でもケーブル等をできるだけ少なくすることによって店内を広く使用できるなどの利点もある。
【課題を解決するための手段】
【０００４】
よって、本発明では送信機と受信機と送受信機間の信号を伝達する導電体を有する信号伝達システムであって、送信機と導電体は電気的な導通は遮断され且つ電磁結合されており、受信機と導体は電気的に接続しており、送信機の出力部から放射される電磁波が導電体に伝わり、導電体から受信機の入力部に入力されて信号が伝達される信号伝達システムを提供する。さらに前記構成において送信機と導電体が電気的に接続し、受信機と導電体が電磁結合されるシステム、および送信機受信機ともに導電体と電磁結合されるシステムも提供する。これによって配線等を少なくすることができる。
【０００５】
またこのような導電体は導電性繊維または導電性フィルムが好ましい。また、導電性繊維は導電性樹脂または金属線を繊維に編み込んだものが好ましい。
【０００６】
さらに、送信機に再生機を接続し、受信機にスピーカが接続された増幅器を接続して音響装置として音響出力を行うことができる。またこのような音響装置は導電体をカーテン、窓、壁、床、天井などの平面に用いることができる。
【発明の効果】
【０００７】
本発明によって複数のポータブル機器を持ち歩くときに配線等を少なくすることができ、また携帯電話をイヤホン、マイクによって使用するときにより簡単に使用できる。
【発明を実施するための最良の形態】
【０００８】
まず本発明について本質的な部分を説明する。図１に示したように本発明は送信機１０と導電体２０、導電体２０と受信器３０の少なくともいずれかが電磁結合しており、他の一方は導電性の部材２１で電気的に接続している。または両者が電磁結合している構成である。当業者には既知であるが、送信機１０から放射される電磁波４０は導電体２０に誘導電流を生じさせる。またこの誘導電流も電磁波４０を発生する。本発明はこのような現象を利用して情報の伝達を行うシステムである。
【実施例１】
【０００９】
図１は本発明の情報伝達システムにおいて送信機１０、導電体２０、受信器３０の配置を示した図である。図１（ａ）では送信機１０と導体２０は離間して配置されており、電気的な導通は遮断されているが、両者は電磁結合している。また導電体２０と受信器３０は電気的に接続されている。よって送信機１０から放射される電磁波４０は導電体２０に伝わり、該導体２０に誘導電流が流れ、受信器３０の入力部に入力されて信号が伝達される。この場合受信器３０に対して導電体２０はアンテナとして働く。図１（ｂ）は送信機１０、受信器３０が共に導電体２０から隔離して配置され、双方とも導電体２０との電気的な導通は遮断されているが、導電体２０と電磁結合している。この構成では送信機１０から放射された電磁波４０は導電体２０に誘導電流を生じさせ、該誘導電流がさらに電磁波４０を放射する。導電体２０から放射された電磁波４０は受信器３０で受信され、受信器３０の入力部に入力される。図１（ｃ）は送信機１０と導電体２０が導電性の部材２１で電気的に接続され、受信器３０と導電体２０は電気的に遮断されているが、両者は電磁結合している。この構成では導電体２０は送信機１０のアンテナとして働く。
【００１０】
ここで、送信機１０は電磁波を放射する構造を有しており、当業者には既知であるが例えばコイルを電磁波を放射させる手段として使用することができる。または通常の無線送信機と同様に送信機自体がアンテナを内蔵してもよい。情報を伝達させるための電磁波は振幅変調、周波数変調された波、いわゆるＡＭ、ＦＭを使用することができる。さらにＰＣＭによる伝送でもよい。同様に受信器３０についても電磁波を受信する手段を有しており、例えばコイルを有している。またアンテナを有していても良く、上記のように変調された電磁波による信号を受信することができる。
【００１１】
このような送信機１０、受信器３０は例えば乾電池（図示しない）のようなバッテリーで駆動することが好ましい。また、本発明は電磁波を用いるため周波数が高いと伝送に適さない。よって電磁波の周波数は１００ＭＨｚ以下が好ましい。本発明の導電体は例えば導電性樹脂の細線、金属線を繊維に編み込んだものが使用できるが、これらの繊維自体を布状に編んだものでも良い。また導電性フィルムでも本発明を実施することができる。しかし、本発明の導電体２０に用いる材料はこれに限定されるものではなく、例えばアルミ、鉄等の金属板、炭素繊維等も使用することができる。
【実施例２】
【００１２】
次に本発明を音響装置として使用する実施例を説明する。本実施例では送信機１０、受信器３０共に導電体２０と電気的に遮断され、電磁結合している場合の実施例である。図２は送信機１０にポータブルＣＤプレーヤ１１（以後ポータブルプレーヤ１１と称する）のイヤホン端子からケーブル１２で接続した状態を示している。このようにポータブルプレーヤ１１を送信機１０に接続することによって音楽信号を導電体２０へ伝達させることができる。
【００１３】
また、受信器３０にはイヤホン３１が接続されている。受信器３０は導電体２０から放射された電磁波を受信し、イヤホン３１に出力する。図２では導電体２０は模式的に示されているが、例えば導電体２０を導電性繊維とし、該導電性繊維２０を衣服等に用いた場合は、送信機１０、ポータブルプレーヤ１１を通常は下方に位置しているポケット等に入れ、イヤホン２１が接続された受信器２０を通常は上部に位置している内ポケットに入れることによって、音楽などの聴取を行うことができる。
【００１４】
本実施例では受信器３０にイヤホン３１が直接接続されているが、例えば増幅器（図示しない）を受信器３０に接続し、イヤホン３１を増幅器に接続することもできる。またはイヤホン３１の代わりにスピーカ（図示しない）でもよい。
【００１５】
さらに、送信機１０、受信器３０にそれぞれ送信、受信両方の機能を設けることによって、ポータブルプレーヤ１１のリモコン操作を行うことができる。
【実施例３】
【００１６】
本実施例では実施例２のシステムにおいて、導電体２０を導電性繊維によるカーテン２２とした場合の実施例である。本実施例では送信機１０をカーテン２２とケーブル１２によって電気的に接続させている。受信器３０にはスピーカ３２が接続されている。当業者には明白であるが、この場合受信器３０には増幅器が組み込まれている。またカーテン２２と受信器の間は電磁結合である。しかし、このような接続に限定されるものではなく、送信機１０、受信器３０ともにカーテン２２と電気的に遮断され、電磁結合によって情報の伝送を行うようにしてもよい。さらにポータブルプレーヤ１１に限定されず、例えば通常のシステムコンポのようなものでもよい。このように構成することによって、スピーカの配線等を簡略することができ、システムコンポの配線が煩雑にならずに設置することができる。
【実施例４】
【００１７】
本実施例では導電体２０に導電性フィルム２３を使用した時の実施例である。ポータブルプレーヤ１１、送信機１０、受信器３０、スピーカ３２等は実施例３と同様であり、さらに、ポータブルプレーヤ１１に限定されないことも同様である。本実施例では送信機１０、受信器３０は共に導電性フィルム２３と電気的に遮断されているが、電磁結合している。また導電性フィルム２３は透明であることが好ましいが、使用目的に応じて当業者であれば適宜選択することができる。このように構成することによって例えば店のショーウインドウのような場所であっても、配線等を目立たなくして音響システムを構築することができる。
【００１８】
以上４つの実施例を説明したが本発明はこれらに限定されるものではなく、送信機１０に接続する装置として携帯電話を使用することもできる。この場合はいわゆるイヤホンマイクを使用するので双方向性の通信機能を有することが必要となる。よって送信機１０、受信機３０にそれぞれ送信、受信両方の機能を搭載することが望ましい。また、ポータブルオーディオとして使用する際に送信機１０にＣＤプレーヤだけでなく、ＭＤプレーヤ、ＭＰ３プレーヤなど複数の機器を接続して、受信器３０には切り替え装置を取り付けて１つのイヤホンで使用することをもできる。この場合は、当業者には容易に理解できるが、送信機１０、受信器３０共に、複数のチャンネルを使用することができるように、例えば送信のための電磁波の周波数を複数設定することが好ましい。
【００１９】
さらに、本発明は導電体２０に導電性繊維、導電性フィルム、金属膜などを用いたカーペットを用いてもよい。これによって例えば近年普及したいわゆるサラウンド機能を有するオーディオシステムにおいて、後方のスピーカの配線に本発明のシステムを用いて、システム全体の配線を少なくすることができる。
【図面の簡単な説明】
【００２０】
【図１】図１は本発明の構造を模式的に示した図である。
【図２】図２は本発明を用いた音響装置の実施例である。
【図３】図３は導電体に導電性繊維によるカーテンを用い音響装置の実施例である。
【図４】図４は導電体に導電性フィルムを用いた音響装置の実施例である。
【符号の説明】
【００２１】
１０  送信機
２０  導電体
３０  受信器
４０  電磁波
【図１】
2007124109.tif 000003
【図２】
2007124109.tif 000004
【図３】
2007124109.tif 000005
【図４】
2007124109.tif 000006